(57)【特許請求の範囲】
【請求項１】
潤滑用オイルが収容されたオイルタンクと、軸受台に内装された軸受との間が循環するようにオイル配管で連結され、ポンプを介し供給側配管から軸受に導入されたオイルが前記軸受台の油溜に導かれ、そこから戻り配管を経て前記オイルタンクに戻され、前記軸受が上下に半割り状に分割されるように構成された潤滑油配管系において、
可搬型の装置本体を構成し上端が開放された箱型の架構と、その架構内に設置された流量計並びに、その流量計に直列に連結されたストレーナと、そのストレーナの上流側並びに下流側に連結された手動バルブと、前記架構上端に着脱自在に取付られた吊り下げ用アイボルトとからなるパッケージ装置を具備し、
前記架構上面に他の機器等が段積み可能に構成されており、前記架構内に設置された流量計、ストレーナ及び手動バルブの高さは前記架構上端以下の高さであって、前記ストレーナはその内部の異物除去用メッシュが着脱自在に構成されており、
前記バッケージ装置に、入口ホース、出口ホースの一端が連結されると共に、前記入口ホースの他端が、上半部が取り除かれた前記軸受に着脱自在に連結されると共に、出口ホースの他端が前記軸受台の油溜に導かれるようになされた回転機軸受潤滑油配管系のオイルフラッシング用パッケージ装置。
【発明の詳細な説明】
【０００１】
【発明の属する技術分野】
本発明は、発電所等の建設時において、その発電機やタービン等の大型回転機の軸受に供給される潤滑油配管系のオイルフラッシングに関する。
【０００２】
【従来の技術】
発電所等における発電機やタービン等の大型回転機の軸受には、潤滑用の油配管が接続されている。即ち、図４に示す如く図示しないオイルタンクと軸受３との間に図示しないポンプ及び油冷却器を介し供給側配管４ａが接続され、その軸受３の軸受台２の油溜２ａから戻り配管４ｂがオイルタンクまで接続される。これらの油配管は、発電所等の建設時において油配管敷設後にその油配管内の塵埃等を取り除くためにオイルフラッシングが行われる。このオイルフラッシングの際には、図４の如く軸受３の上半部が取り除かれて、その軸受３の上面に開口した油通路に仮配管14の先端部が接続され、その仮配管14の途中にオリフィス15，圧力計21，手動バルブ８が介装される。それと共に、仮配管14の端部に仮設ストレーナ９ａが設けられ、それが軸受台２の油溜２ａに収納される。この仮配管14や仮設ストレーナ９ａ並びにオリフィス15は、各種軸受３の設計油量に応じてそれぞれの軸受についてその都度製作していた。
【０００３】
【発明が解決しようとする課題】
このような仮配管14の製作や組立、オリフィス15並びに仮設ストレーナ９ａの設計等や製作には多大な労力を要していた。例えば、発電所等におけるタービン及び発電機等の数多い軸受３の油配管をオイルフラッシングするには、仮配管14等の製作や組立に一ケ月以上に渡る時間を要していた。
そこで本発明は、大型回転機軸受の油配管に適用できる汎用性の高いオイルフラッシング用パッケージ装置を提供することを課題とし、その課題を解決するために次の構成をとる。
【０００４】
【課題を解決するための手段】
本発明は、潤滑用オイルが収容されたオイルタンクと、軸受台に内装された軸受との間が循環するようにオイル配管で連結され、ポンプを介し供給側配管から軸受に導入されたオイルが前記軸受台の油溜に導かれ、そこから戻り配管を経て前記オイルタンクに戻され、前記軸受が上下に半割り状に分割されるように構成された潤滑油配管系において、
可搬型の装置本体を構成し上端が開放された箱型の架構と、その架構内に設置された流量計並びに、その流量計に直列に連結されたストレーナと、そのストレーナの上流側並びに下流側に連結された手動バルブと、前記架構上端に着脱自在に取付られた吊り下げ用アイボルトとからなるパッケージ装置を具備し、
前記架構上面に他の機器等が段積み可能に構成されており、前記架構内に設置された流量計、ストレーナ及び手動バルブの高さは前記架構上端以下の高さであって、前記ストレーナはその内部の異物除去用メッシュが着脱自在に構成されており、
前記バッケージ装置に、入口ホース、出口ホースの一端が連結されると共に、前記入口ホースの他端が、上半部が取り除かれた前記軸受に着脱自在に連結されると共に、出口ホースの他端が前記軸受台の油溜に導かれるようになされた回転機軸受潤滑油配管系のオイルフラッシング用パッケージ装置である。
【０００５】
【発明の実施の形態】
次に、図面に基づいて本発明の回転機軸受潤滑油配管系のオイルフラッシング用パッケージ装置の実施の形態につき説明する。
図１は本装置の使用状態を示す説明図であり、上蓋２ｂの図示しない窓蓋が取り外されて、その窓２ｃより入口ホース10，出口ホース11が挿入されている。そして図２は図１における上蓋２ｂを取り除いた軸受台２及びそれに接続された本装置の入口ホース10，出口ホース11の斜視説明図、図３は本装置を有する回転機軸受潤滑油配管系のオイルフラッシング説明図である。
図３に示す如く一例として、タービン13の回転軸12はその両端部が軸受３で支持されている。この軸受３は軸受台２に収納され、軸受３とオイルタンク１との間はオイル配管４により潤滑油が循環するように配管されている。即ち、オイルタンク１内にはポンプ５及び油冷却器19，切換弁20が設けられ、オイルタンク１内のオイル16を供給側配管４ａを介し軸受３に供給する。そして、供給されたオイル16は軸受３を通り油溜２ａに収納され、その自重により戻り配管４ｂを介してオイルタンク１に戻されるものである。
【０００６】
このようなオイル配管４を軸受３に敷設した当初においては、それらのオイル配管４内に洗浄用のオイルを流通させ、内部の各種塵埃を取り除く必要がある。そこで、オイルタンク１の潤滑油配管系にオイルフラッシング装置18が接続される。そして軸受３はその上半部が取り除かれて、夫々の軸受３に本発明のパッケージ装置22が接続されるものである。このパッケージ装置22は、図１に示す如く架構からなる装置本体６内に流量計７とストレーナ９とが直列に接続され、ストレーナ９の上流側及び下流側に手動バルブ８が配置されている。この例では、一対の流量計７及びストレーナ９が設けられている。そして流量計７側には入口ホース10がフランジにより結合され、ストレーナ９の出口側には出口ホース11がフランジにより接続される。そして入口ホース10の端部は図１及び図２に示す如く、軸受３のオイル流通孔に接続される。この流通孔には内ネジが形成され、そこに金属製の金具が螺着され、その金具にフランジを介して入口ホース10が接続されるものである。また、出口ホース11の先端は軸受台２の油溜２ａに挿入される。なお、軸受３の軸受台２にはそれに接続された供給側配管４ａと、その軸受台２の油溜２ａに接続された戻り配管４ｂとを有する。
また、オイルフラッシング装置18にはオイルフラッシング用ポンプ５ａ及び複数のフィルタ17が設けられ、オイルフラッシング用ポンプ５ａの上流側がオイルタンク１に連通する。
【０００７】
而して、オイルフラッシング用ポンプ５ａを駆動することにより、オイルタンク１内のオイル16をフィルタ17を介して潤滑油配管系に供給し、供給側配管４ａを介して軸受３に導く。軸受３に達したオイルは、入口ホース10を介して流量計７により計量されると共に、手動バルブ８によって流量が制御され、それぞれの軸受のフラッシング油量を適正に確保することができる。そして、フラッシング油中の塵埃はストレーナ９で除去されて、出口ホース11より軸受台２の油溜２ａ内に戻される。油溜２ａ内に戻されたオイルは、戻り配管４ｂを介しオイルタンク１に戻されて循環する。従ってオイル16はその間、オイルフラッシング装置18のフィルタ17と、本装置のストレーナ９により配管内の塵埃が効率的に取り除かる。
なお、本装置の装置本体６の上端は手動バルブ８の上端よりも上方に位置し、その上面に吊り下げ用のアイボルト23が着脱自在に螺着される。そして装置本体６のアイボルト23を取り外すことにより、装置本体６上に他のパッケージ装置その他を段積みすることが可能となり、輸送及び保管の便に供している。
また、ストレーナ９はその上蓋を取り外すことより内部の図示しない異物除去用メッシュを容易に着脱できる。
【０００８】
【発明の作用・効果】
本発明の回転機軸受潤滑油配管系のオイルフラッシング用パッケージ装置は、可搬型の装置本体を構成する架構の上端が開放された箱型に形成され、その架構内であって架構上端以下の高さに流量計７と手動バルブとストレーナ９とが互いに連結され、架構の上端には吊り下げ用アイボルトが着脱自在に取付られている。そしてその吊り下げ用アイボルトを取り外すことにより、架構上面に他の機器等が段積み可能に形成できる。このようにすることにより、可搬型のパッケージ装置の輸送および保管が容易となる効果を有する。
そして本パッケージ装置には、入口ホース10，出口ホース11の一端が接続され、その入口ホース10の他端が、上半部を取り除いた軸受に着脱自在に連結される。それと共に、出口ホース11の他端が軸受台２の油溜２ａに導かれるように構成したため、各種回転機軸受の潤滑油配管系をオイルフラッシングする際に本装置を汎用的に使用することができる。しかも、軸受側では入口ホース10，出口ホース11を夫々接続するのみでたりるため、オイルフラッシングを適正に容易且つ迅速に行い得る。
【図面の簡単な説明】
【図１】本装置の使用状態を示す説明図。
【図２】図１における上蓋２ｂを取り除いた軸受台２及びそれに接続された本装置の入口ホース10，出口ホース11の斜視説明図。
【図３】本装置を有する回転機軸受潤滑油配管系のオイルフラッシング説明図。
【図４】従来の回転機軸受油配管系のオイルフラッシング時における仮設配管の略図。
【符号の説明】
１  オイルタンク
２  軸受台
２ａ  油溜
２ｂ  上蓋
２ｃ  窓
３  軸受
４  オイル配管
４ａ  供給側配管
４ｂ  戻り配管
５  ポンプ
５ａ  オイルフラッシング用ポンプ
６  装置本体
７  流量計
８  手動バルブ
９  ストレーナ
９ａ  仮設ストレーナ
10  入口ホース
11  出口ホース
12  回転軸
13  タービン
14  仮配管
15  オリフィス
16  オイル
17  フィルタ
18  オイルフラッシング装置
19  油冷却器
20  切換弁
21  圧力計
22  パッケージ装置
23  アイボルト
【図１】
0003723920.tif 000002
【図２】
0003723920.tif 000003
【図３】
0003723920.tif 000004
【図４】
0003723920.tif 000005